(57)【要約】【課題】  地震時に収納ユニットの扉が開くことを防止する耐振ラッチの部品に、ダンパー機能を簡単に組み込むことができ、しかも外観性及び使用性にそれぞれ優れ、さらに設置スペースを狭めることが容易なダンパー付き耐振ラッチを提供すること。【解決手段】  収納ユニット本体１側に、扉２の閉時の衝撃を抑えるダンパー付きラッチ本体６が取り付けられる。扉２側に、上記ダンパー３に向って突出するダンパー当て凸部４と、上記ラッチ本体６の可動部８を受けるラッチ受部７とが取り付けられる。可動部８は、ラッチ受部７との係合位置でダンパー３に最も接近し、ラッチ受部７と係合しないときはラッチ受部７との係合位置Ｐよりもダンパー３から離れる方向Ｒにおいてのみ可動自在となっている。【選択図】        図１
2005180050.tif 000002
【特許請求の範囲】
【請求項１】
収納ユニット本体側に、扉の閉時の衝撃を抑えるダンパーとラッチ本体とが一体に取り付けられ、扉側には、上記ダンパーに向って突出するダンパー当て凸部と、上記ラッチ本体の可動部を受けるラッチ受部とが取り付けられ、上記可動部は、ラッチ受部との係合位置でダンパーに最も接近し、ラッチ受部と係合しないときは上記ラッチ受部との係合位置よりもダンパーから離れる方向においてのみ可動自在となっていることを特徴とするダンパー付き耐振ラッチ。
【請求項２】
上記ダンパーはラッチ本体の上部に配置されており、上記ダンパー当て凸部はラッチ受部の上部に一体に設けられていることを特徴とする請求項１記載のダンパー付き耐振ラッチ。
【発明の詳細な説明】
【技術分野】
【０００１】
本発明は、ダンパー付き耐振ラッチに関し、詳しくは、地震時に、収納ユニットの扉が開くことを防止する耐振ラッチの部品に、扉が閉じるときの衝撃を緩和させるダンパーを組み込んだダンパー付き耐振ラッチに関するものである。
【背景技術】
【０００２】
従来より、この種のダンパー付き耐振ラッチ５’として、例えば、図６に示すように、収納ユニット本体１の天板１ａに可動部８を有するラッチ本体６を取り付け、扉２にラッチ受部７を取り付け、地震時の揺れにより、可動部８が作動してラッチ受部８に引っ掛かることで、扉２がロックされるようになっている。さらに、ラッチ本体６の下部にダンパー３を設け、扉２を閉じたときに扉２の裏面にダンパー３を当てることで、ダンパー効果を得るようにしたものが知られている（例えば、特許文献１参照）。
【０００３】
ところが、上記特許文献１にみられる従来例にあっては、扉２を開くとダンパー３が収納ユニット本体１の前方に突出してくるため、ダンパー３が大きく目立ち、外観上において好ましくないばかりか、収納物を出し入れする際に、ダンパー３が邪魔になり、また物がダンパー３にぶつかることも多くなり、使い勝手がきわめて悪いものであった。そのうえ、ラッチ本体６の下部にダンパー３を配置してあるため、ダンパー３とラッチ本体６とを近接配置することができない。つまり、ラッチ本体６の下方には、通常使用時には可動部８がラッチ受部７から外れて矢印方向ロに移動することで、通常使用状態に戻るようになっている。ここで、ダンパー３と可動部８との干渉を避けるためには、矢印ロで示す可動部８の移動ストロークだけ、ダンパー３とラッチ本体６とを離す必要がある。このため、ダンパー付きラッチ本体６の上下寸法Ｈが長くなり、ラッチ本体６の取り付けに広いスペースを要するという問題もあった。
【特許文献１】特開２００３−１７２０６０号公報
【発明の開示】
【発明が解決しようとする課題】
【０００４】
本発明は上記の従来の問題点に鑑みて発明したものであって、地震時に収納ユニットの扉が開くことを防止する耐振ラッチの部品に、ダンパー機能を簡単に組み込むことができ、しかも外観性及び使用性にそれぞれ優れ、さらに設置スペースを狭めることが容易なダンパー付き耐振ラッチを提供することを課題とするものである。
【課題を解決するための手段】
【０００５】
上記課題を解決するために本発明にあっては、収納ユニット本体１側に、扉２の閉時の衝撃を抑えるダンパー付きラッチ本体６が取り付けられ、扉２側に、上記ダンパー３に向って突出するダンパー当て凸部４と、上記ラッチ本体６の可動部８を受けるラッチ受部７とが取り付けられ、上記可動部８は、ラッチ受部７との係合位置Ｐでダンパー３に最も接近し、ラッチ受部７と係合しないときは上記ラッチ受部７との係合位置Ｐよりもダンパー３から離れる方向Ｒにおいてのみ可動自在となっていることを特徴としている。
【０００６】
このような構成とすることで、地震時に扉２が開くことを防止する耐振ラッチ５の部品に、扉２の閉時の衝撃を抑えるダンパー３を組み込むことができる。ここで、ラッチ本体６の可動部８は地震時にダンパー３に接近してラッチ受部７に係合するが、通常使用時にはダンパー３から離れた位置に移動しており、従って、ダンパー３とラッチ本体６とを近接配置した場合でも通常使用状態においてダンパー３と可動部８との干渉を避けることができる。これにより、ダンパー付きラッチ本体６の寸法Ｈ１を短くでき、ラッチ本体６の設置スペースを狭めることができる。また、扉２側にダンパー当て凸部４を設けることで、収納ユニット本体１の開口部からダンパー３を前方に突出させる必要がなくなり、ダンパー効果を確保しながら、扉２を開いたときにダンパー３が目立たず、見栄えを良くすることができると共に、ダンパー３が邪魔になったり、物がぶつかることを減らすことができ、使い勝手がきわめて良くなる。
【０００７】
また、上記ダンパー３はラッチ本体６の上部に配置されており、上記ダンパー当て凸部４はラッチ受部７の上部に一体に設けられているのが好ましく、この場合、ラッチ本体６の上部にダンパー３を配置することにより、通常使用時にラッチ受部７と係合しない可動部８を下方に移動させることができ、ダンパー付きラッチ本体６の設置スペースを容易に狭めることができる。
【発明の効果】
【０００８】
本発明に係るダンパー付き耐振ラッチは、地震時に扉が開くことを防止する耐振ラッチの部品に、扉の閉時の衝撃を抑えるダンパーを組み込むことができると共に、その外観性及び使用性がそれぞれ良好となり、さらに設置スペースを狭めることが容易となる。
【発明を実施するための最良の形態】
【０００９】
以下、本発明を添付図面に示す実施形態に基いて説明する。
【００１０】
本実施形態のダンパー付き耐振ラッチ５は、図１〜図３に示すように、収納ユニット本体１の天板１ａ下面に取り付けられるダンパー３を一体に備えたラッチ本体６と、扉２側に取り付けられるダンパー当て凸部４を一体に備えたラッチ受部７とで構成されている。
【００１１】
先ず、ラッチ本体６とラッチ受部７は、地震時の揺れを検知し、扉２の開放、収納物の落下を防止するためのものである。
【００１２】
ここでは、ラッチ本体６のハウジング６ａの上面部はダンパー３のハウジング３ａの底面部に固定ボス（図示せず）で固定され、ダンパー３のハウジング３ａの上面部は別の固定ボス１０で収納ユニット本体１の天板１ａの下面に固定される。一方、ラッチ受部７とダンパー当て凸部４とは一体成形により形成されている。
【００１３】
上記ラッチ本体６のハウジング６ａ内部には、図５（ａ）に示すように、回動アーム１２の後端部１２ａがアーム軸１３に枢着されており、回動アーム１２の前端部に設けた水平ロッド形状の可動部８がアーム軸１３を中心として上下に揺動自在となっている。回動アーム１２の後端部１２ａとハウジング６ａの後部内壁との間には、例えば鉄製のボール１４が前後に自由に転動できるように収納されている。
【００１４】
扉２側のラッチ受部７は、図４に示すように、扉２にネジ１６で固定される取付け部１７と、取付け部１７の前面から扉２の後方に突出した突出部１８と、突出部１８の先端下面側に設けた左右一対のフック部１９とで一体形成されている。
【００１５】
一方、ダンパー３とダンパー当て凸部４は、扉２の閉時の衝撃を抑えるためのものである。本例ではダンパー３はロッド状に形成され、ダンパー当て凸部４の先端面は例えばパッド形状をしている。本例のダンパー３の先端は、扉２を開いたときには図１の仮想線で示す位置、つまり収納ユニット本体１の開口の前面よりも奥側に入り込んだ位置にあり、扉２の閉時には扉２側のダンパー当て凸部４によって矢印ハ方向に押されて図１の実線で示す位置まで後退するようになっている。なおダンパー３は、例えばバネ抵抗或いは流体抵抗、空気抵抗等を利用して、扉２を閉じる速度を減衰させるものが用いられるが、もちろんダンパー３の構成は特に問わない。
【００１６】
ここにおいて、上記ラッチ本体６の可動部８は、ラッチ受部７との非係合状態では図５（ａ）のようにダンパー３から離れた下方位置に移動している。地震時にはボール１４が図５（ｂ）の矢印イ方向に動いて回動アーム１２の後端部１２ａを前方に押してハウジング６ａの底部のロック凹所１５に嵌り込むことで、可動部８が上方に押し上げられる。このとき、扉２が開こうとすると、可動部８が扉２側のラッチ受部７に係合した状態（図５（ｂ）の状態）となるため、扉２は少し開いたところでそれ以上、開放されなくなる。このように、地震時の揺れにより、可動部８が作動して、扉２に取付けられたラッチ受部７に引っ掛かることで、扉２がロックされ、開放されることがなくなり、中の収納物が落下するのを防止できるようになっている。また、地震後に、図５（ａ）の矢印ニの方向から扉２を押すと、回動アーム１２の前端部が後方に押され、ボール１４が矢印方向ロに押されてロック凹所１５から押し出されることで、可動部８とラッチ受部７との係合が解除され、扉２は通常使用状態（図５（ｂ）の状態）に戻る。この通常使用状態では、可動部８はラッチ受部７とは係合しない下方位置にあり、通常の扉２と同様な開閉操作ができるようになる。なお、ボール１４は一定の揺れレベル以上で前後に動いて、回動アーム１２を前方に押すことができるものであればよく、その材質や重さ、形状は適宜設計変更自在である。
【００１７】
しかして、地震時に収納ユニットの扉２が開くことを防止する耐振ラッチ５の部品に、扉２の閉時の衝撃を抑えるダンパー３を組み込むにあたって、ラッチ本体６の可動部８は、ラッチ受部７との係合位置Ｐでダンパー３に最も接近し、ラッチ受部７と係合しないときはラッチ受部７との係合位置Ｐよりもダンパー３から離れる方向Ｒにおいてのみ可動自在としたので、ダンパー３とラッチ本体６とを近接配置した場合でも通常使用状態においてダンパー３と可動部８との干渉を避けることができる。これにより、ダンパー付きラッチ本体６の上下寸法Ｈ１を短くでき、ラッチ本体６の設置スペースを狭めることができる。
【００１８】
また、扉２側にダンパー当て凸部４を設けたので、収納ユニット本体１の開口部からダンパー３を前方に突出させる必要がなくなり、ダンパー効果を確保しながら、扉２を開いたときでも、ダンパー３が目立たず、見栄えを良くすることができると共に、扉２を開いて収納物を出し入れする際に、ダンパー３が開口部の前方に突出しなくなるので、物がぶつかることを減らすことができる。特にダンパー３を天板１ａに近づけて設置することで、収納物の出し入れの邪魔にならない。そのうえ、収納ユニット本体１側にダンパー付きラッチ本体６を取り付けるだけでよいため、ダンパー３を別途取り付ける手間を省くことができ、取付け作業が簡単になる。
【００１９】
また、図１のＳで示すダンパー３の上側パーツを取り外して、下側パーツのみを用いれば、ダンパーなしの耐振ラッチとして利用できる利点もある。
【００２０】
また本例では、ダンパー付きラッチ本体６を天板１ａの下面に取り付けたので、ダンパー３が取り付け面（天板１ａの下面）に近い側に設置されることとなり、結果、ダンパー３が強固に固定されることとなる。これにより、扉２の開閉時にダンパー３に加わる衝撃をより緩和できるようになるので、扉２の開閉時にダンパー３に加わる衝撃をより緩和できるようになり、ダンパー効果をより高めることができるものである。
【００２１】
また、ダンパー当て凸部４はラッチ受部７の上部に一体に設けられているので、ダンパー当て凸部４を扉２に別途取り付ける手間を省くことができる。しかも、ダンパー当て凸部付きラッチ受部７を、扉２に後付けできるので、穴開けが不要となり、取付け作業がより簡単になるという利点もある。
【００２２】
さらに本例では、扉２の閉時にラッチ本体６とラッチ受部７とを位置決めするための位置決め手段を備えている。本例の位置決め手段は、図１に示すように、ラッチ本体６の前面中央に設けられた嵌め込み用孔部２０と、ラッチ受部７に設けられた嵌め込み凸部２１とで構成されている。嵌め込み用孔部２０は、嵌め込み凸部２１を上下左右から包むことができる形状をしている。扉２の閉時に嵌め込み用孔部２０に対して嵌め込み凸部２１が嵌り込み、これにより、地震時に大きな縦揺れ或いは横揺れがあっても、嵌め込み凸部２１は嵌め込み用孔部２０内に保持されることで、ラッチ本体６とラッチ受部７との位置決め状態を維持できるようになっている。また、耐振ラッチ５の設置時においては、ラッチ本体６とラッチ受部７が適切な位置、方向に取付けられていることを容易に確認できる働きもする。
【００２３】
本発明に係るダンパー付き耐振ラッチ５は、例えば、システムキッチン、洗面化粧台、下駄箱などの吊り戸棚などに、広く使用可能である。
【図面の簡単な説明】
【００２４】
【図１】本発明の一実施形態の側面図である。
【図２】同上の平面図である。
【図３】図２の矢符Ａからみた一部破断側面図である。
【図４】同上のダンパー当て凸部付きラッチ受部の斜視図である。
【図５】（ａ）は可動部がラッチ受部から外れた状態の説明図、（ｂ）は可動部がラッチ受部に係合した状態の説明図である。
【図６】従来例の説明図である。
【符号の説明】
【００２５】
１  収納ユニット本体
２  扉
３  ダンパー
４  ダンパー当て凸部
６  ラッチ本体
７  ラッチ受部
８  可動部
Ｐ  係合位置
Ｒ  ダンパーから離れる方向
【図１】
2005180050.tif 000003
【図２】
2005180050.tif 000004
【図３】
2005180050.tif 000005
【図４】
2005180050.tif 000006
【図５】
2005180050.tif 000007
【図６】
2005180050.tif 000008